(57)【要約】  本発明は、大きな部分及び小部分から構成される、損傷を受けた体肢を支持するための応急副子に関し、大きな部分は、複数の長手方向帯片から構成され、また小部分は、本明細書で述べるものなど、共に結合された複数の横断帯片から構成される。
2015502815.tif 000002
【特許請求の範囲】
【請求項１】
大きな部分及び小部分から構成される、損傷を受けた体肢を支持するための応急副子であって、前記大きな部分が、複数の長手方向帯片から構成され、且つ前記小部分が、本明細書に述べるものなど、共に結合された複数の横断帯片から構成される、応急副子。
【請求項２】
前記大きな部分が、面ファスナ・ストラップと共に結合された少なくとも３つの長手方向帯片から構成される、請求項１に記載の応急副子。
【請求項３】
前記小部分が、面ファスナ・ストラップと共に結合された少なくとも３つの横断帯片から構成される、請求項１に記載の応急副子。
【請求項４】
前記帯片が、体肢の丸さに適合するように、幅方向内側に部分的に湾曲している、請求項１から３までのいずれかに記載の応急副子。
【請求項５】
前記大きな部分及び小部分が、曲げ可能な帯片により結合される、請求項１から４までのいずれかに記載の応急副子。
【請求項６】
前記曲げ可能な帯片が、柔軟な可撓性のあるプラスチック、金属発泡体帯片などである、請求項５に記載の応急副子。
【請求項７】
前記帯片が、プラスチック、木材、金属などの任意の剛性材料から作ることができる、請求項１から６までのいずれかに記載の応急副子。
【請求項８】
前記小部分が、前記小部分の前記帯片と結合される少なくとも２つの可動な側部フラップ帯片を備える、請求項１から７までのいずれかに記載の応急副子。
【請求項９】
前記側部フラップ帯片の遠位部分にループ・ファスナが取り付けられており、副子は、共に結合して幅、長さの両方または一方を増加させることができる、請求項８に記載の応急副子。
【発明の詳細な説明】
【技術分野】
【０００１】
本発明は、損傷を受けた体肢を支持するための応急副子に関する。
【背景技術】
【０００２】
損傷を受けた体肢は、医療施設への搬送中に支持する必要がある。体肢には上肢、下肢、肘、膝、及び足首を含めて多くの場所があり、これらは支持システムの異なる設計を必要とする。さらに、角度を付けて支持する必要があるものもあれば、真っ直ぐに支持することが必要なものもある。このことにより、多種多様な副子が必要となっている。しかし、救急現場に様々な副子のすべてを運ぶことは実行可能ではない。
【０００３】
いくつかの応急副子が市販されている。１つのタイプは、多くの形状及びサイズの空気袋を備えた空気袋副子と呼ばれる。体肢は、これらの袋の中に保持され、袋は、膨張して体肢を支持する。しかし、これらの袋に関連する欠点は、多くの形状及びサイズがあるので、袋を膨らませるためには空気ポンプが必要となることである。さらに、輸送中に穴が開く可能性もある。
【０００４】
他のタイプの副子は、気密性のある袋に満たされた軽いプラスチック球体から構成された真空副子と呼ばれる。袋は、損傷した体肢の周りに用意され、その後、空気が袋から抜かれる。球体が互いにくっついて形が形成される。
【０００５】
前述の真空副子の欠点は以下のようになる、すなわち、
−  多くのサイズが必要になること
−  非常にかさばること
−  その動作には外部装置が必要であること
である。
【０００６】
他のタイプの副子は、巻いた形態で収納される、両側を発泡体で裏張りされた簡単なアルミニウムの帯片である。使用する間は、真っ直ぐにして、体肢に適用する必要がある。このタイプの副子に関する問題は、輸送中に体肢を十分に支持するだけの強度がないことである。さらに、それは角度の付いた状態で支持することはない。
【０００７】
したがって、現在利用できる副子には多くの欠点がある。これらの多くは、多数のサイズ及び形状を必要とすること、及び外部の空気ポンプ／真空ポンプを必要とすることにより、救急状況には適していない。これらのいくつかのものは非常にかさばる。さらに、帯片タイプのものは、適正な支持を提供するための剛性が十分ではない。
【０００８】
したがって、前述の欠点を克服できる新規の応急副子を開発することが必要である。
【発明の概要】
【発明が解決しようとする課題】
【０００９】
本発明の主な目的は、従来技術に関連する欠点を克服する、損傷を受けた体肢を支持するための応急副子を提供することである。
【００１０】
本発明の他の目的は、単一のサイズでほとんどすべての状況に使用できる、損傷を受けた体肢を支持するための応急副子を提供することである。
【００１１】
本発明のさらに他の目的は、小型で軽量な、損傷を受けた体肢を支持するための応急副子を提供することである。
【００１２】
本発明のさらに他の目的は、真っ直ぐな状態で、並びに角度を付けた状態で適用できる、損傷を受けた体肢を支持するための応急副子を提供することである。
【００１３】
本発明のさらに他の目的は、体の上肢並びに下肢のすべての部分に適用できる、損傷を受けた体肢を支持するための応急副子を提供することである。
【００１４】
本発明のさらに他の目的は、損傷を受けた体肢を搬送中にさらに損傷させることを阻止するために、すべての状態で十分に剛性のある支持を提供する、損傷を受けた体肢を支持するための応急副子を提供することである。
【００１５】
本発明のさらに他の目的は、幅及び長さを増加させるために他の同様の副子と結合できる、損傷を受けた体肢を支持するための応急副子を提供することである。
【００１６】
本発明のさらなる目的は、構成が単純で効率的な、損傷を受けた体肢を支持するための応急副子を提供することである。
【課題を解決するための手段】
【００１７】
本発明は、以下の構成要素を備える応急副子を提供する。
【００１８】
１）大きな部分「Ａ」は、面ファスナ・ストラップと共に結合された少なくとも３つの内側に湾曲した大きな帯片から作られる。
２）小部分「Ｂ」は、面ファスナ・ストラップと共に結合された少なくとも３つの内側に湾曲した小帯片から作られる。
３）曲げ可能な材料帯片から作られる曲げ可能部分は、部分Ａ及び部分Ｂを共に結合する。
４）ループ・ファスナをその遠位端に備える２つの側部フラップ帯片は、枢動軸で部分「Ｂ」の側部帯片に取り付けられ、且つ円形に動くことができる。
【００１９】
本発明によれば、大きな部分と小部分から構成される、損傷を受けた体肢を支持するための応急副子が提供され、大きな部分は、複数の長手方向の帯片から構成され、また小部分は、本明細書で述べるものなど、共に結合された複数の横断帯片から構成される。
【００２０】
本発明のさらなる目的及び利点は、添付の図面と併せて読めば、以下の記述からさらに明らかになろう。
【図面の簡単な説明】
【００２１】
【図１】本発明の応急副子を示す図である。
【図２】角度が付けられた副子の様々な部分の位置を示す図である。
【図３】真っ直ぐな副子の様々な部分の位置を示す図である。
【図４】円周方向に取り付けられた２つの副子を示す図である。
【図５】長手方向に取り付けられた２つの副子を示す図である。
【発明を実施するための形態】
【００２２】
本発明は、損傷を受けた体肢を支持するための応急副子を開示する。図１を参照することができるが、副子は、２つの主要部分、すなわち、大きな部分（Ａ）と小部分（Ｂ）とから構成される。
【００２３】
大きな部分（Ａ）は、面ファスナ・ストラップと共に結合された少なくとも３つの長手方向帯片から構成される。
【００２４】
同様に、小部分（Ｂ）は、面ファスナ・ストラップと共に結合された少なくとも３つの横断帯片から構成される。
【００２５】
帯片は、幅方向内側に部分的に湾曲している。したがって、これらは体肢の丸さに適合する。帯片は、プラスチック、木材、金属などの任意の剛性材料から作ることができる。帯片は、内側にループ・ファスナを、外側にフック・ファスナを備える。ループ・ファスナには、体肢を囲んで副子を固定できる十分な大きさがある。
【００２６】
部分Ａ及びＢは、曲げ可能な帯片（Ｃ）と共に結合される。帯片（Ｃ）は、柔軟な可撓性プラスチック、金属発泡体帯片などであるが、本発明の範囲はそれらに限定されない。
【００２７】
小部分（Ｂ）は、部分Ｂの帯片と枢動軸で結合された少なくとも２つの可動な側部フラップ帯片を有している。これらの側部フラップ帯片は、任意の方向に動くことができる。前記側部帯片の遠位部分には、ループ・ファスナが取り付けられている。
【００２８】
副子は、小型であり、且つ軽量である。したがって、軍隊で自分のバックパックに入れて前線に容易に運ぶことができる。
【００２９】
体肢の曲げ部分に副子を使用するために、副子は、図２で示すように、直角に曲げられる。側部フラップが、大きな部分「Ａ」の側部帯片に取り付けられて、それを角度の付いた状態にさらに支持する。
【００３０】
真っ直ぐな部分を支持するように副子を使用するために、図３で示すように、副子は真っ直ぐに伸ばされ、側部フラップが、大きな部分「Ｂ」の側部帯片に取り付けられる。
【００３１】
必要な場合、２つ以上の副子を円周方向に（図４）、且つ／又は長手方向に（図５）取り付けることができる。副子の内側にはループ・ファスナが設けられ、外側には、フック・ファスナを有する。一方を他方に当てると、面ファスナであるため、これらの２つは結合される。このように、使用するのに高い柔軟性がある。
【００３２】
本発明は、当業者により、修正、適合、及び変更を行うことが可能であることに留意されたい。本発明の概念及び特徴を使用するこのような様々な実施例は、添付の特許請求の範囲でさらに述べる本発明の範囲に含まれることが意図されている。
【図１】
2015502815.tif 000003
【図２】
2015502815.tif 000004
【図３】
2015502815.tif 000005
【図４】
2015502815.tif 000006
【図５】
2015502815.tif 000007
【国際調査報告】
2015502815.tif 000008
2015502815.tif 000009